(57)【特許請求の範囲】
【請求項１】
記録装置（１７）のプログラミング方法において、
ステータス（ TYPE ）、時間（ START TIME, DURATION ）、日付（ DATE ）、同定識別子（ PROGRAM ID ）、および所望の番組の放送チャネルまたは周波数（ CHANNEL ）に関するデータが現在進行中の番組とともに送信され、
通常は前記データ（ TYPE, START TIME, DURATION, DATE, PROGRAM ID, CHANNEL ）のすべてにより前記の目下の番組が記述され、
短期間のうちに新たな番組が目下のチャネルまたは周波数で放送される予定のとき、前記のステータスデータ（ TYPE ）は待ち状態（ WAIT ）にセットされ、前記データのうちその他のデータ（ START TIME, DURATION, DATE, PROGRAM ID, CHANNEL ）により前記の新たな番組が記述され、
目下の番組中で、当該チャネル／周波数または他のチャネル／周波数で放送される今後の番組に関する予告宣伝が放送されると、前記ステータスデータ（ TYPE ）は情報状態（ INFORMATION ）にセットされ、前記データのうちその他のデータ（ START TIME, DURATION, DATE, PROGRAM ID, CHANNEL）により前記の予告宣伝された今後の番組が記述され、ここにおいて前記の所望の新たなまたは今後の番組を記録したいとユーザが指示すれば、前記データ（ TYPE, START TIME, DURATION, DATE, PROGRAM ID, CHANNEL）が前記の目下の番組から抽出されて記憶され、当該記録装置を自動的にプログラミングするために用いられ、必要であれば、前記日付における前記の所望の番組の放送開始時点よりも前に、当該記録装置は個々のチャネルまたは周波数にチューニングされ、
当該記録装置は、前記のステータスが待ち状態（ WAIT ）から放送状態（ BROADCAST）へ変化するまで待機し、前記識別データ（ PROGRAM ID ）が記憶されている個々の識別データと整合すれば記録を開始することを特徴とする、
記録装置のプログラミング方法。
【請求項２】
前記の目下の番組中に所望の番組とは無関係の何らかの通報宣伝ないし広告が放送されると、前記ステータスデータ（  ＴＹＰＥ  ）は休止状態（  ＰＡＵＳＥ  ）へセットされ、前記データのうちその他のデータ（  ＳＴＡＲＴ  ＴＩＭＥ，  ＤＵＲＡＴＩＯＮ，  ＤＡＴＥ，  ＰＲＯＧＲＡＭ  ＩＤ，  ＣＨＡＮＮＥＬ）により、一時的に中断されている目下の番組が記述され、前記ステータスデータ（  ＴＹＰＥ  ）が前記放送状態（  ＢＲＯＡＤＣＡＳＴ  ）へセットされるまで記録は中断される、請求項１記載の方法。
【請求項３】
目下の番組を受信している装置（１６）と記録装置（１７）の両方を制御するリモートコントローラ（１８）において関連のボタンを押すことによりユーザは記録命令を指示する、請求項１または２記載の方法。
【請求項４】
前記データ（  ＴＹＰＥ，  ＳＴＡＲＴ  ＴＩＭＥ，  ＤＵＲＡＴＩＯＮ，  ＤＡＴＥ，  ＰＲＯＧＲＡＭ  ＩＤ，  ＣＨＡＮＮＥＬ）のすべてを抽出するデータ抽出装置（２２）が前記記録装置（１７）内に配置されており、該記録装置と前記受信装置（１６）はディジタルバスにより接続されており、該バスを介して前記データのすべてを含む受信信号が伝送され前記記録装置（１７）内で評価される、請求項３記載の方法。
【請求項５】
前記データ（  ＴＹＰＥ，  ＳＴＡＲＴ  ＴＩＭＥ，  ＤＵＲＡＴＩＯＮ，  ＤＡＴＥ，  ＰＲＯＧＲＡＭ  ＩＤ，  ＣＨＡＮＮＥＬ  ）のすべてを抽出するためのデータ抽出装置が前記受信装置（１６）内に配置されており、該受信装置（１６）と前記記録装置（１７）はディジタルバスにより接続されており、該バスを介して抽出されたデータが伝送され前記記録装置（１７）内で評価される、請求項３記載の方法。
【請求項６】
前記リモートコントローラ（１８）は前記受信装置（１６）で目下選択されている内部的な番組番号を記憶し、前記データ（  ＴＹＰＥ，ＳＴＡＲＴ  ＴＩＭＥ，  ＤＵＲＡＴＩＯＮ，  ＤＡＴＥ，  ＰＲＯＧＲＡＭ  ＩＤ，  ＣＨＡＮＮＥＬ）のすべてを抽出するデータ抽出装置（２２）が前記記録装置（１７）内に配置されており、該記録装置内でそこにおいてあらかじめ選択された番組記憶番号に相応するチャネルまたは周波数が記憶され、目下選択されている番組記憶番号を含む赤外線コードが記録装置（１７）において評価され、ユーザが前記リモートコントローラ（８）のボタンを押したときに記録装置（１７）においてこの番組に合わせてチューニングするために用いられる、請求項３記載の方法。
【請求項７】
前記データは定期性に関するデータ（  ＰＥＲＩＯＤＩＣＩＴＹ  ）も含んでおり、該データは所望の番組の個々の順序で前記記録装置（１７）をプログラミングするために用いられる、請求項１〜６のいずれか１項記載の方法。
【請求項８】
前記データはタイトルデータ（  ＮＡＭＥ  ）も含んでおり、該データは、前記記録装置（１７）および／または前記受信装置（１６）および／または前記リモートコントローラ（１８）において記録タイトルを表示させるために用いられ、および／または当該タイトルを記録媒体に記憶させるために用いられる、請求項１〜７のいずれか１項記載の方法。
【請求項９】
前記データ（  ＴＹＰＥ，  ＳＴＡＲＴ  ＴＩＭＥ，  ＤＵＲＡＴＩＯＮ，  ＤＡＴＥ，  ＰＲＯＧＲＡＭ  ＩＤ，  ＣＨＡＮＮＥＬ  ）のすべてはバーカーチャネル（  Ｂａｒｋｅｒ  ｃｈａｎｎｅｌ  ）を介して放送され、適切であれば該チャネルから抽出される、請求項１〜８のいずれか１項記載の方法。
【請求項１０】
記録装置（１７）をプログラミングするプログラミングユニットにおいて、
データ抽出装置（２２）が設けられており、該データ抽出装置は目下のビデオ信号および／またはオーディオ信号から、ステータス（ TYPE ）、時間（ START TIME, DURATION ）、日付（ DATE ）、同定識別子（ PROGRAM ID ）ならびに所望の番組の放送チャネルまたは周波数（ CHANNEL ）に関するデータを抽出し、
通常は前記データ（ TYPE, START TIME, DURATION, DATE, PROGRAM ID, CHANNEL ）のすべてにより前記の目下の番組の特定事項が記述され、
短期間のうちに目下のチャネルまたは周波数で新たな番組が放送される予定のとき、前記ステータスデータ（ TYPE ）は待ち状態（ WAIT ）にセットされ、前記データのうち他のデータ（ START TIME, DURATION, DATE, PROGRAM ID, CHANNEL ）により前記の新たな番組が記述され、
目下の番組中に、当該チャネル／周波数または別のチャネル／周波数で放送される今後の番組に関する予告宣伝が放送されると、前記ステータスデータ（ TYPE ）は情報状態（ INFORMATION ）にセットされ、前記データ（ START TIME, DURATION, DATE, PROGRAM ID, CHANNEL ）により前記の予告宣伝された今後の番組が記述され、
記憶手段（２５）が設けられており、該記憶手段は前記データの少なくとも一部を記憶可能であり、
中央処理ユニット（２９）が設けられており、該中央処理ユニットは前記記憶手段（２５）および前記データ抽出装置（２２）と接続されていて前記データを評価し、チューナ（２０）を有する記録装置（２１）を制御し、前記ステータスが前記の待ち状態（ WAIT ）から放送状態（ BROADCAST ）へ変化し、前記識別データ（ PROGRAM ID ）が前記記憶手段（２５）にまえもって記憶されていた個々の識別データと整合していれば、記録が許可され、
赤外線受信機（２３）が設けられており、該赤外線受信機は前記中央処理ユニット（２９）と接続されていて赤外線リモートコントローラ（１８）からユーザプログラム命令を受信して復号し、前記赤外線リモートコントローラ（１８）は前記中央処理ユニットの動作を初期化することを特徴とする、
記録装置をプログラミングするプログラミングユニット。
【発明の詳細な説明】
【０００１】
【産業上の利用分野】
本発明は、記録装置のプログラミング方法およびプログラミングユニットに関する。
【０００２】
【従来の技術】
今後放送される予定の番組を記録するためにビデオカセットレコーダ（ＶＣＲ）をプログラミングすること−いわゆるタイムシフトレコーディング−は常に、ユーザが行わなければならない最も困難な作業のうちの１つであった。これまで種々異なるユーザインターフェース技術が用いられてきたが、それらは完全なものではない。ＶＰＳマーキングやＶＩＤＥＯ＋のように入力方式を簡単にするいくつかの興味深い技術はおおいにユーザの役にたっていると思われるが、これらの手法のいずれもユーザの思考過程を考慮していない。
【０００３】
【発明が解決しようとする課題】
本発明の課題は、一般に複雑なプログラミング作業を著しく簡単かつ自然に実施するための手法を実現する記録装置のプログラミング方法を提供することにある。さらに本発明の課題は、上記の方法を利用したプログラミングユニットを提供することにある。
【０００４】
【課題を解決するための手段】
本発明によればこの課題は以下の方法により解決される。すなわち、ステータス、時間、日付、同定識別子、および所望の番組の放送チャネルまたは周波数に関するデータが現在進行中の番組とともに送信され、通常は前記データのすべてにより前記の目下の番組が記述され、短期間のうちに、たとえば数分以内に、新たな番組が目下のチャネルまたは周波数で放送される予定のとき、前記のステータスデータは待ち状態にセットされ、前記データのうちその他のデータにより前記の新たな番組が記述され、目下の番組中で、当該チャネル／周波数または他のチャネル／周波数で放送される今後の番組に関する予告宣伝が放送されると、前記ステータスデータは情報状態にセットされ、前記データのうちその他のデータにより前記の予告宣伝された今後の番組が記述され、ここにおいて前記の所望の新たなまたは今後の番組を記録したいとユーザが指示すれば、前記データが前記の目下の番組から抽出されて記憶され、当該記録装置を自動的にプログラミングするために用いられ、必要であれば、前記日付における前記の所望の番組の放送開始時点よりも前に、当該記録装置は個々のチャネルまたは周波数にチューニングされ、当該記録装置は、前記のステータスが待ち状態から放送状態へ変化するまで待機し、前記識別データが記憶されている個々の識別データと整合すれば記録を開始することを特徴とする、記録装置のプログラミング方法により解決される。
【０００５】
さらに上記の課題は以下の構成を有するプログラミングユニットにより解決される。すなわち、データ抽出装置が設けられており、該データ抽出装置は目下のビデオ信号および／またはオーディオ信号から、ステータス、時間、日付、同定識別子ならびに所望の番組の放送チャネルまたは周波数に関するデータを抽出し、通常は前記データのすべてにより前記の目下の番組の特定事項が記述され、
短期間のうちに、たとえば数分以内に、目下のチャネルまたは周波数で新たな番組が放送される予定のとき、前記ステータスデータは待ち状態にセットされ、前記データのうち他のデータにより前記の新たな番組が記述され、目下の番組中に、当該チャネル／周波数または別のチャネル／周波数で放送される今後の番組に関する予告宣伝が放送されると、前記ステータスデータは情報状態にセットされ、前記データにより前記の予告宣伝された今後の番組が記述され、記憶手段が設けられており、該記憶手段は前記データの少なくとも一部を記憶可能であり、中央処理ユニットが設けられており、該中央処理ユニットは前記記憶手段および前記データ抽出装置と接続されていて前記データを評価し、チューナを有する記録装置を制御し、前記ステータスが前記の待ち状態から放送状態へ変化し、前記識別データが前記記憶手段にまえもって記憶されていた個々の識別データと整合していれば、記録が許可され、赤外線受信機が設けられており、該赤外線受信機は前記中央処理ユニットと接続されていて赤外線リモートコントローラからユーザプログラム命令を受信して復号し、前記赤外線リモートコントローラは前記中央処理ユニットの動作を初期化することを特徴とする、記録装置をプログラミングするプログラミングユニットにより解決される。
【０００６】
【発明の利点】
家庭用機器の使用法に関する最近の研究により教示されたことは、ユーザが記録したい番組に関する予告宣伝を見たときに、自分のビデオカセットレコーダを衝動的な選択によってプログラミングできればよいと望むユーザもなかにはいるということである。
【０００７】
本発明によれば、タイムシフトレコーディングのためのこのような衝動的なプログラミングの手法が提案されている。この場合、リモートコントローラの学習ボタンが押されると、放送信号中に含まれている番組関連データが評価され、テレビジョン受信機の目下のチューニング状態と比較される。ビデオカセットレコーダは目下のテレビジョンチャネルに合わせてチューニングされ、対象としている番組データを記憶する。さらに本発明によればユーザのために確実に、ユーザの記録する番組を適正な時点で開始／終了させ、記録している番組中に放送されるあらゆる広告ないし通報宣伝をカットしてしまういくつかの特徴も提案されている。各従属請求項には、本発明による方法の有利な実施形態が示されている。
【０００８】
【実施例の説明】
図１には、本発明の可能なハードウェアの実施構成が示されている。この図にはシステムの２つの側が表わされている。一方の側は放送スタジオである。この側は、いくつかのビデオソース１１−ここではビデオカセットレコーダとして実現されている−およびこれらのビデオソース１１を作動させるコンピュータ１２により構成されている。ビデオソース１１により供給されるビデオ信号は、データ挿入装置と称する装置１３へ入力される。このデータ挿入装置はコンピュータ１２からいくつかのディジタル情報を受け取り、個々の番組に関連するデータをビデオ信号中に挿入する。この場合、種々異なる技術を利用できる。たとえば、テレテキストシステムの場合のように、データを垂直帰線期間（ＶＢＩ）の走査線中へ挿入することができる。挿入されたデータを含めて、ビデオ信号は送信機１４により空中を介して送信される。出力信号は、衛星リンク、ケーブルネットワークまたは地上の伝播のようないかなる送信経路をとってもよい。他方の側は、ユーザの家庭で必要とされる設備類である。テレビジョン信号は、アンテナ１５を介してテレビジョン受信機１６とビデオカセットレコーダ１７の両方へ供給される。これら後者の機器は、たとえば家庭内のバスを用いて情報交換可能である。ビデオカセットレコーダもテレビジョン受信機も両方とも、ただ１つのリモートコントローラ１８により作動される。
【０００９】
図２において、アンテナ１５を介して受信されたビデオ信号はチューナ２０へ供給される。このチューナは、復調されたビデオ信号をビデオカセットレコーダの公知のビデオ処理素子２１（たとえば  ｍｅｃｈａｄｅｃｋ）とデータ抽出装置２２へ供給する。このデータ抽出装置の目的は、データ挿入装置１３によりビデオ信号中へまえもって挿入されていたディジタル情報を再生することにある。この情報は、典型的にはマイクロコントローラである中央処理ユニット（ＣＰＵ）２９へ供給される。ＣＰＵ２９はチューナ２０に対し、いずれのチャネルに合わせてチューニングすべきかを指示する。さらにＣＰＵはビデオ処理素子２１も作動させる。ＣＰＵは、インターフェースバス２４を介してテレビジョン受信機１６と交信可能である。リモートコントローラ１８は赤外線情報をテレビジョン受信機とビデオカセットレコーダとへ送信し、ビデオカセットレコーダは赤外線受信機２３によりこの情報を受信し、評価された個々の情報をＣＰＵ２９へ送信する。
【００１０】
データ流：
ビデオ信号中には以下のデータが含まれている（これらはたとえばデータ挿入装置１３により挿入されたものである）；
ＴＹＰＥ                ＩＮＦＯＲＭＡＴＩＯＮ  ／  ＢＲＯＡＤＣＡＳＴ  ／  ＰＡＵＳＥ  ／  ＷＡＩＴ
（”種別”）            （”情報”  ／  ”放送”  ／  ”休止”／  ”待機”）
ＤＡＴＥ                ０７／０１／９３
（”日付”）
ＳＴＡＲＴ  ＴＩＭＥ          １０：１７：４０
（”開始時刻”）
ＤＵＲＡＴＩＯＮ            ０１：２０：０９
（”持続時間”）
ＣＨＡＮＮＥＬ              ３４
（”チャネル”）
ＰＲＯＧＲＡＭ  ＩＤ          ３１２３４
（”番組ＩＤ”）
ＰＥＲＩＯＤＩＣＩＴＹ          Ｗｅｋ  ｜  Ｗｅｋ  ｜  Ｓａｔ  ｜  Ｆｒｉ  ｜  Ｔｈｕ  ｜  Ｗｅｄ  ｜  Ｔｕｅ  ｜  Ｍｏｎ  ｜  Ｓｕｎ
（”定期性”）
ＮＡＭＥ（オプション）  ”ＯＵＴ  ＯＦ  ＡＦＲＩＣＡ”
（”名前”）
第１のデータフィールド  ＴＹＰＥ  は４つの異なる値を有する。すなわち、ＩＮＦＯＲＭＡＴＩＯＮ，  ＢＲＯＡＤＣＡＳＴ，  ＰＡＵＳＥ，  ＷＡＩＴ  である。このフィールドの役割は後で述べる。
【００１１】
その他のデータフィールド  ＤＡＴＥ，  ＳＴＡＲＴ  ＴＩＭＥ  、ＤＵＲＡＴＩＯＮ，  ＣＨＡＮＮＥＬ，  ＰＲＯＧＲＡＭ  ＩＤ，  ＰＥＲＩＯＤＩＣＩＴＹ  およびオプションのフィールド  ＮＡＭＥ  により、放送番組が完全に表わされている。
【００１２】
データフィールド  ＰＥＲＩＯＤＩＣＩＴＹ  は複数個のフラグを有する。このようなフラグがセットされていれば、このフラグによって番組が毎日繰り返されることが示される。たとえば、  Ｗｅｄ  と  Ｍｏｎ  の両方がセットされていれば、番組は月曜日と水曜日ごとに放送される。フラグがセットされていなければ、番組はデータフィールド  ＤＡＴＥ  で規定されている日付に１度だけしか放送されない。２つのウィークフラグ  Ｗｅｋ  により周決めの定期性が規定される。すなわち  ００  は毎週、  ０１  は隔週、１０  は３週間に１度、１１  は毎月１度を表わす。
【００１３】
ＣＰＵ２９はこれらのデータをすべて管理する。その際、ＣＰＵは４つの状況に直面する：
ａ）当該チャネルは目下番組そのものを放送している。この場合、データフィールド  ＴＹＰＥ  は  ＢＲＯＡＤＣＡＳＴ  にセットされており、他のデータフィールドは目
下の放送番組を表わしている。
【００１４】
ｂ）当該チャネルは数分以内にある番組を放送する予定である。この場合、データフィールド  ＴＹＰＥ  は  ＷＡＩＴ  にセットされており、他のデータフィールドは
来るべき番組を表わしている。
【００１５】
ｃ）当該チャネルは、そのチャネルまたは別のチャネルで放送される今後の番組に関して何らかの予告宣伝を放送している。この場合、データフィールド  Ｔ    ＹＰＥは  ＩＮＦＯＲＭＡＴＩＯＮ  にセットされており、他のデータフィールドはその予告
宣伝番組を表わしている。
【００１６】
ｄ）当該チャネルは、今後の番組とは無関係な現在の番組中で何らかの通報宣伝ないし広告を放送している。この場合、データフィールド  ＴＹＰＥ  は  ＰＡＵＳＥ  にセットされており、他のデータフィールドは一時的に中断されている番組
を表わしている。
【００１７】
そして本発明は以下のように動作する：
リモートコントローラ１８は、学習（ＬＥＡＲＮ）ボタンと呼ばれる専用ボタンを備えている。
【００１８】
ビデオカセットレコーダのプログラミング：
ユーザがそのテレビジョン受信機で記録したい番組に関する予告宣伝を見ているとき、単にユーザはその予告宣伝を見ながら上記の学習ボタンを押す。リモートコントローラ１８は相応の命令をビデオカセットレコーダへ送信する。ＣＰＵ２９はテレビジョン受信機１６に問い合わせて、それがいずれの番組にチューニングされているかをチェックする。次にＣＰＵ２９はチューナ２０に対し、テレビジョン受信機１６と同じチャネルに合わせてチューニングするよう要求する。データ抽出装置２２は個々の番組情報を再生し、その情報をＣＰＵへ伝送する。そしてビデオカセットレコーダは受信したデータを用いて自身をプログラミングする。
【００１９】
有利には、データフィールド  ＴＹＰＥ  が  ＩＮＦＯＲＭＡＴＩＯＮ  と等しいことを照合するためにあらかじめチェックが行われ、等しくなければこの学習動作は放棄される。有利には、テレビジョン受信機内にデータ抽出装置を設けることもできる。この場合にはビデオカセットレコーダはテレビジョン受信機から直接、番組情報を再生することになる。この解決手段の有する利点は、ビデオカセットレコーダが記録中であってもユーザは番組を”習得”できる点にある。
【００２０】
ビデオカセットレコーダの記録処理：
このようにしてプログラミングされた後、フィールド  ＤＡＴＥ，  ＳＴＡＲＴ  ＴＩＭＥ  および  ＰＥＲＩＯＤＩＣＩＴＹ  により規定された時点より前に、ビデオカセットレコーダはデータフィールド  ＣＨＡＮＮＥＬ  で規定されたチャネルへ短期間（たとえば数分間）チューニングされる。そしてデータフィールド  ＴＹＰＥ  が  ＢＲＯＡＤＣＡＳＴ  にセットされるまで待機する。ビデオカセットレコーダは、  ＰＲＯＧＲＡＭ  ＩＤ  データがメモリ２５にあらかじめ記憶されていた個々の  ＰＲＯＧＲＡＭ  ＩＤ  データと整合していることを確かめて、記録をスタートさせる。
【００２１】
データフィールド  ＴＹＰＥ  がその状態を変えると、記録は一時的に休止される。  ＴＹＰＥ  が再び  ＢＲＯＡＤＣＡＳＴ  にセットされ  ＰＲＯＧＲＡＭ  ＩＤ  データが整合しているという条件のもとで、記録が再開される。  ＴＹＰＥ  が  ＢＲＯＡＤＣＡＳＴ  にセットされ  ＰＲＧＲＡＭ
ＩＤ  データがもはや整合しなくなれば、記録は確実に止められる。
【００２２】
上述の方式ではなく慣用の方式でタイムシフトレコーディングがプログラミングされていた場合でも、記録処理の中断を取り入れることができる。しかしその場合には  ＰＲＯＧＲＡＭ  ＩＤ  データのチェックは行われず、さらにユーザ自身によって開始および停止時刻が定められる。ただしビデオカセットレコーダは、  ＰＡＵＳＥ，  ＷＡＩＴ  ならびに  ＩＮＦＯＲＭＡＴＩＯＮ  でマークされた番組の一部分は記録しない。
【００２３】
データ抽出装置２２をテレビジョン受信機内に配置してもよい。この場合、番組情報はディジタルバスを介してビデオカセットレコーダへ送信される。
【００２４】
データフィールド  ＮＡＭＥ  は、ビデオカセットレコーダおよび／またはテレビジョン受信機および／またはリモートコントローラにおいて記録タイトルを表示させるために利用できるし、および／またはこのタイトルを記録媒体に記憶させるために利用できる。
【００２５】
現在のところ、テレビジョン受信機とビデオカセットレコーダを統合してリンクするホームバスシステムは、広く利用されてはいない。以下で述べる拡張構成では、ディジタルバス接続部を備えていない標準のテレビジョン受信機を利用するための、上述のアーキテクチャの変形実施例が提案されている。この場合でもやはり、リモートコントローラ１８はテレビジョン受信機とビデオカセットレコーダの両方を作動させる。ビデオカセットレコーダには、テレビジョン受信機の内部的な番組記憶番号に割り当てられた周波数／チャネルが記憶される。リモートコントローラは、テレビジョン受信機で呼び出された最後の番組記憶番号を記憶する。学習ボタンが押されると、リモートコントローラはビデオカセットレコーダ１７へその命令とテレビジョン受信機がどの番組にチューニングされているかを表わす付加情報とを伝送する。次にビデオカセットレコーダは割り当てられた周波数／チャネルへチューニングされ、テレビジョン受信機への問い合わせは不要である。ディジタルバスを介して行われるテレビジョンとビデオカセットレコーダのリンクはもはや必須ではなくなる。
【００２６】
前述の説明では、放送番組を表わすデータは放送チャネルに対して物理的に配属されている。別の解決手段として、放送中の番組を表わすための専用の特定のデータチャネル−いわゆるバーカーチャネル（Ｂａｒｋｅｒ  ｃｈａｎｎｅｌ）を設ける。各番組供給者はデータを１つの中央機関へ供給し、この中央機関はそれらのデータを連結して特定の周波数の１つの共通データ流放送にする。
【００２７】
上記のバーカーチャネルは、データを搬送するためにその帯域幅全体を使用する。上述の記載で提案したデータ記述方式はここでも有効である。ＣＨＡＮＮＥＬ  パラメータから始めるというような、パラメータ表示のためのいくつかの変更を行える。ビデオカセットレコーダは、目下のテレビジョン受信機のチャネルではなくこのバーカーチャネルへチューニングされる。そしてビデオカセットレコーダは、待ち受けている番組のデータが生じるのを待つ。この解決手段の主要な利点は、すべてのチャネルに対してただ１つのデータ挿入システムしか存在していないことであって、これによりコストが低減される。
【００２８】
有利にはビデオカセットレコーダを通常の方式でプログラミングすることもできるが、本発明はその作業をいっそう簡単に行うための手法を提案するものである。
【００２９】
さらにたとえばＦＭラジオ放送あるいはＤＡＢまたはディジタル衛星オーディオ放送を受信する場合のように、ラジオとオーディオ記録機器（コンパクトカセットレコーダ、ＤＣＣ、ミニディスク、ＤＡＢレコーダ、ＭＯＤ）が統合されて用いられている場合でも、本発明を利用できる。
【００３０】
【発明の効果】
本発明により、一般に複雑なプログラミング作業を著しく簡単かつ自然に実施するための手法を実現する記録装置のプログラミング方法ならびにプログラミングユニットが提供される。
【図面の簡単な説明】
【図１】本発明による方法を実施するための可能なハードウェア構成を示す図である。
【図２】本発明を実行するビデオカセットレコーダ内の回路のブロック図である。
【符号の説明】
１１  ビデオソース
１２  コンピュータ
１３  データ挿入装置
１４  送信機
１５  アンテナ
１６  テレビジョン受信機
１７  ビデオカセットレコーダ
１８  リモートコントローラ
２０  チューナ
２１  ビデオ処理素子
２２  データ抽出装置
２３  赤外線受信機
２４  インターフェースバス
２５  メモリ
２９  中央処理ユニット
【図１】
0003568581.tif 000002
【図２】
0003568581.tif 000003